(57)【要約】【課題】  装飾効果に優れ、かつ簡単に着脱することのできる植栽鉢の装飾構造を提供する。【解決手段】  植栽鉢１の底面と外周面を包む耐水性の不織布から成る装飾シート１０と、この装飾シート１０を植栽鉢１に固定するために当該装飾シート１０の外周にその開口を絞るような状態で装着される帯環１２とを設け、当該帯環１２を、耐水性の不織布から構成するとともに、その帯環１２に、幅方向所定位置における内径を伸縮させるための内径伸縮手段（２０，２２）を設ける。【選択図】    図１
2007028914.tif 000002
【特許請求の範囲】
【請求項１】
植栽鉢の底面と外周面を包む耐水性の不織布から成る装飾シートと、
この装飾シートを植栽鉢に固定するために当該装飾シートの外周にその開口を絞るような状態で装着される帯環とを備え、
当該帯環は、耐水性の不織布から構成されるとともに、その幅方向所定位置における内径を伸縮させるための内径伸縮手段を備えることを特徴とする植栽鉢の装飾構造。
【請求項２】
請求項１記載の植栽鉢の装飾構造において、
前記内径伸縮手段は、前記帯環に周方向に沿って設けられた挿通孔に挿通される帯状の弾性体によって構成されていることを特徴とする植栽鉢の装飾構造。
【請求項３】
請求項２記載の植栽鉢の装飾構造において、
前記内径伸縮手段は、前記挿通孔に挿通される紐状の結束部材をさらに備えることを特徴とする植栽鉢の装飾構造。
【請求項４】
請求項２又は３記載の植栽鉢の装飾構造において、
前記帯環が２つ折りにした不織布によって構成されているとともに、前記挿通孔が不織布の折り目側の端縁部を周方向に縫着することによって形成されていることを特徴とする植栽鉢の装飾構造。
【請求項５】
請求項１〜４のいずれか１項に記載の植栽鉢の装飾構造において、
前記装飾シート及び帯環を構成する不織布が、さらに耐光性を有することを特徴とする植栽鉢の装飾構造。
【請求項６】
請求項１〜５のいずれか１項に記載の植栽鉢の装飾構造において、
前記帯環の任意の位置に、造花等の装飾部材を取り付けたことを特徴とする植栽鉢の装飾構造。
【請求項７】
請求項１〜６のいずれか１項に記載の植栽鉢の装飾構造において、
前記装飾シートの植栽鉢の底面に対応する部分に水抜き穴を穿設したことを特徴とする植栽鉢の装飾構造。
【請求項８】
請求項７記載の植栽鉢の装飾構造において、
前記植栽鉢の底面形状に対応した形状を有しかつ前記装飾シートよりも高い剛性を有する鉢受け部材の中央部に水抜き穴を穿設したものを前記装飾シートの対応する部分に接着したことを特徴とする植栽鉢の装飾構造。
【発明の詳細な説明】
【技術分野】
【０００１】
本発明は、植栽鉢を装飾シート等で装飾する植栽鉢の装飾構造に関するものである。
【背景技術】
【０００２】
従来から、花等の植物を植栽鉢に植えた状態で贈答品とする際には、所定の色柄の包装紙等で植栽鉢を包装することが行われてきた。
【０００３】
ここで、当該包装紙の植栽鉢への固定は、リボン等を包装紙の上から結束することによって行うことが多いが、この場合、リボンを美しく結束するにはある程度の技量と時間を要するという問題があった。
【０００４】
そこで、下記特許文献１では、伸縮性を有するバンド（帯状体）を包装紙の上から装着し、あらかじめ所定のデザイン形状（例えば花を模したような形状）に形成されたリボンを当該バンドにフック等で掛止することが行われている。この方法によれば、伸縮性を有するバンドを用いて容易に包装紙を植栽鉢に固定することができるとともに、その後当該バンドにリボンを装着することにより、個人の技量に依らず短時間で包装を仕上げることが可能であった。
【特許文献１】特開２００２−３６００７５号公報
【発明の開示】
【発明が解決しようとする課題】
【０００５】
ここで、贈答時にせっかく美しく包装された植栽鉢も、その包装部材が例えば通常の包装紙である場合には、そのまま水やりを行うと当該包装紙が濡れて破れる等の問題があるため、家庭内等では包装を解き、鉢を露出した状態で使用する以外になかった。これに対し、美しく包装された植栽鉢を贈答後においてもそのまま問題なく継続設置することができれば、植栽鉢のインテリア性を高めることができて商品価値の向上につながる。しかしながら、前記特許文献１には、このような改善を行う旨について開示も示唆もされていない。
【０００６】
また、前記特許文献１において包装作業の効率化のために用いられるバンド（帯状体）については、その材質として例えばゴム繊維等が織り込まれた弾性織布等を用いることが考えられるが、このようなバンドを用いた場合は、リボンで結束する場合に比べると装飾性の面でやはり見劣りがするという問題があった。
【０００７】
本発明は、このような問題に鑑みてなされたものであり、装飾効果に優れるとともに、贈答後に継続設置する場合においても問題なく使用することができ、しかも簡単に着脱することのできる植栽鉢の装飾構造を提供することを目的とする。
【課題を解決するための手段】
【０００８】
上記課題を解決するためのものとして、本発明の植栽鉢の装飾構造は、植栽鉢の底面と外周面を包む耐水性の不織布から成る装飾シートと、この装飾シートを植栽鉢に固定するために当該装飾シートの外周にその開口を絞るような状態で装着される帯環とを備え、当該帯環が、耐水性の不織布から構成されるとともに、その幅方向所定位置における内径を伸縮させるための内径伸縮手段を備えることを特徴とするものである（請求項１）。
【０００９】
この植栽鉢の装飾構造は、植栽鉢を包む不織布製の装飾シートに同じく不織布製の帯環を装着することによって構成したものであるため、外観上の統一感があり、優れた装飾効果を発揮することができる。また、幅方向所定位置に内径伸縮手段を備えた不織布製の帯環は、装飾シートへの着脱が容易であるというだけでなく、装着時においては内径伸縮手段が備わる部分の内径が絞られることにより不織布の周縁部に波状のフリルが形成されるため、より高い装飾効果を発揮することになる。さらに、装飾シート及び帯環が耐水性の不織布から構成されているため、贈答後において当該植栽鉢を家庭内等で継続的に設置する場合においても、問題なく装飾シート及び帯環を装着したままにしておくことができる。すなわち、例えば装飾シートが通常の包装紙で構成されているような場合は、水やりを行うことで当該包装紙が濡れて破れたりする可能性が高いため、植栽鉢を継続設置する際には当該包装紙を取り外す必要があったが、本発明のように装飾シート等が耐水性の不織布から構成されている場合は、水やりの際にそのような心配が生じないため、装飾シート及び帯環を装着したまま問題なく植栽鉢を継続設置することができる。この結果、植栽鉢のインテリア性をより高めることが可能となる。ただし、植栽鉢の下から水が漏れ出すほど大量に水をやりたい場合は、装飾シートを装着したままでは底部に水が溜まることとなるため装飾シートは取り外すことが望ましいが、そのような場合でも、帯環の着脱が容易であることによってそれほどその作業が煩雑ではないという利点がある。
【００１０】
前記内径伸縮手段は、例えば、前記帯環に周方向に沿って設けられた挿通孔に挿通される帯状の弾性体によって構成することが可能である（請求項２）。
【００１１】
この構成によれば、帯状の弾性体によって容易に帯環の内径を伸縮させることができるとともに、この帯環を確実に装飾シートの外周に密着させることができる。
【００１２】
ただし、この弾性体が有する弾性（伸縮性）は、長期間の使用によって低下する可能性があるため、前記内径伸縮手段は、前記挿通孔に挿通される紐状の結束部材をさらに備えることが好ましい（請求項３）。
【００１３】
この構成によれば、弾性体の弾性が低下して帯環が装飾シートの外周に充分に密着することができなくなった場合でも、帯環にさらに備わる紐状の結束部材を結束することによって帯環の内径をさらに縮小させることができ、その結果、装飾シートを常に安定した状態で植栽鉢に固定することが可能となる。
【００１４】
ここで、前記帯環は２つ折りにした不織布によって構成してもよい。この場合、前記挿通孔は、例えば、不織布の折り目側の端縁部を周方向に縫着することによって形成することが可能である（請求項４）。
【００１５】
この構成によれば、不織布が２枚重ねとなるために帯環がより意匠性に富んだものとなって装飾効果を高めることができるだけでなく、不織布を２つ折りにして縫着するだけで容易に挿通孔を形成することができる。
【００１６】
前記装飾シート及び帯環を構成する不織布は、さらに耐光性を有することが好ましい（請求項５）。
【００１７】
この構成によれば、装飾シートや帯環が光によって劣化し難くなるため、植栽鉢を屋外に継続設置する場合に有効である。
【００１８】
また、前記帯環の任意の位置に造花等の装飾部材を適宜取り付けることによってさらに装飾効果を高めるようにしてもよい（請求項６）。
【００１９】
ここで、前記装飾シートの植栽鉢の底面に対応する部分には、水抜き穴を穿設してもよい（請求項７）。
【００２０】
この構成によれば、水やりの際に植栽鉢の下から水が漏れ出すほど大量の水を注いでも、底部に水が溜まることが装飾シートの水抜き穴により回避されるため、大量の水を注ぐ場合にいちいち装飾シートを取り外す必要がなくなり、便利である。
【００２１】
この場合さらに、前記植栽鉢の底面形状に対応した形状を有しかつ前記装飾シートよりも高い剛性を有する鉢受け部材の中央部に水抜き穴を穿設したものを前記装飾シートの対応する部分に接着してもよい（請求項８）。
【００２２】
この構成によれば、植栽鉢に注いだ水の水抜きを効果的に行うことができるだけでなく、装飾シートに鉢受けとしての機能も持たせることができるため、非常に便利である。
【発明の効果】
【００２３】
以上説明したように、本発明によれば、装飾効果に優れるとともに、贈答後に継続設置する場合においても問題なく使用することができ、しかも簡単に着脱することのできる植栽鉢の装飾構造を提供することができる。
【発明を実施するための最良の形態】
【００２４】
まず図１を用いて、本発明の実施の形態にかかる植栽鉢の装飾構造について説明する。本実施形態の植栽鉢の装飾構造は、植栽鉢１の底面と外周面を包む装飾シート１０と、この装飾シート１０を植栽鉢１に固定するために当該装飾シート１０の外周にその開口を絞るような状態で装着される帯環１２とで構成されている。
【００２５】
このうち、装飾シート１０は、耐水性・耐光性を有する不織布によって構成されている。このような不織布の素材としては、例えばポリエステルが好適である。なお、ここでいう耐水性・耐光性を有する不織布とは、水に濡れ又は光に当たることによって強度が低下して容易に破れるようになる等の著しい性能の低下が生じないものであればよく、実際の使用上問題ない範囲で多少の性能の低下が生じるものであってもよい。従って、そのような素材であればポリエステルに限らず各種素材を使用することが可能である。また、素材自体が耐水性を有する不織布でなくても、耐水加工が施された不織布、あるいは耐水性の樹脂フィルムが貼着された不織布等も用いることが可能である。
【００２６】
一方、帯環１２も、前記装飾シート１０と同様に耐水性・耐光性を有する不織布によって構成されている。ただし、この帯環１２の素材は、必ずしも装飾シート１０と同一の素材である必要はなく、耐水性・耐光性を有するものであれば装飾シート１０と異なる素材であってよい。また、帯環１２は、上端部の内径が伸縮自在に構成されており（詳細は後述する）、それによって装飾シート１０の開口を絞るような状態で装飾シート１０の外周に密着し得るようになっている。
【００２７】
これら装飾シート１０及び帯環１２は、所定の色柄に着色してもよいし、素材そのものがある程度の風合いを有するものであれば着色しなくてもよい。
【００２８】
前記帯環１２には、その任意の位置において装飾部材１４（図例では造花）が取り付けられている。この装飾部材１４は、図例では比較的大きな単一の造花によって構成されているが、帯環１２にちりばめるように取り付けられる比較的小さな複数の造花によって構成してもよい。また、装飾部材１４としては、この他、キャラクターマスコットやアクセサリー等を用いてもよいし、これらを組合せるようにしてもよい。このように装飾部材１４を種々変更することにより、装飾態様を様々にアレンジすることが可能である。なお、帯環１２を構成する不織布にこの装飾部材１４を取り付けるための取付手段については特に限定されるものではく、不織布に掛止し得る屈曲自在な針金やステープラー等を用いてもよいし、接着や縫着等の手段を用いてもよい。
【００２９】
次に、前記帯環１２の詳細構造について説明する。
【００３０】
図２は帯環１２の一部切欠き斜視図である。図示のように、帯環１２は、２つ折りにした帯状の不織布からなる素地１６を環状に形成し、その折り目側の端縁部（上端部）を周方向に沿って縫糸１８により縫着することによって形成した挿通孔２４に帯ゴム２０及び締め紐２２を周状に挿通させることによって構成したものである。なお、図２の一部切欠き斜視図では、挿通孔２４の内部にある帯ゴム２０及び締め紐２２を示すために、図中の前方中央部において素地１６のみを切り欠いて示しており、実際には当該切欠き部にも素地１６は存在する。
【００３１】
前記帯ゴム２０は、エンドレスに形成されてその全周が挿通孔２４に挿通されている。一方、前記締め紐２２は、両端部２２ａを有し、帯環１２の上端部の周方向１箇所に形成された切欠き２６からその両端部２２ａを外部に露出させた状態で挿通孔２４に挿通されている。
【００３２】
このように、挿通孔２４に挿通される帯ゴム２０及び締め紐２２を備える帯環１２は、その上端部の内径が伸縮自在に構成されている。すなわち、帯環１２の幅方向（図２における上下方向）所定位置（本実施形態では上端部）における内径を伸縮させるための内径伸縮手段が、帯ゴム２０及び締め紐２２によって構成されている。なお、このような内径伸縮手段は、帯ゴム２０のみによって構成することも当然に可能であるが、本実施形態では、長期間の使用によって帯ゴム２０の弾性が低下して、充分に帯ゴム２０が伸縮しなくなったときのことを考慮して、締め紐２２を設けている。すなわち、帯ゴム２０の弾性が低下した場合でも、締め紐２２の両端部２２ａを引っ張って結束したり、再度ほどいたりすることにより、帯環１２の上端部の内径を確実に伸縮させることができるようになっている。
【００３３】
なお、この帯環１２の製造は、例えば、図３（ａ）に示す２つ折りにした素地１６を同図（ｂ）に示すように環状に丸め、これをさらに縮径させて素地１６の両端部Ａ１，Ａ２を重ね合わせるようにし、最後に折り目側の端縁部を縫糸１８（図２）を用いて周方向に縫着することによって行うことができる。これにより、図２に示すように、素地１６が重ね合わせ部Ａで重ね合わされた状態で（すなわち当該部で素地１６が４枚重ねになる状態で）環状に形状保持され、同時に、折り目側の端縁部（上端部）に周状の挿通孔２４が形成される。なお、帯ゴム２０と締め紐２２は、素地１６を縫着する前に、挿通孔２４が形成される部分にあらかじめ挿入しておけばよい。
【００３４】
次に、以上のような帯環１２と装飾シート１０を用いて植栽鉢１を包装・装飾する手順の一例について図４を用いて説明する。
【００３５】
まず、図４（ａ）に示すように、装飾シート１０を敷いた上に植栽鉢１を設置する。
【００３６】
次に、図４（ｂ）に示すように、装飾シート１０を上方で束ねるようにして植栽鉢１を装飾シート１０で包み込む。そして、あらかじめ径方向外側に引っ張って内径を拡大させておいた帯環１２に植栽鉢１の底部を挿入してその状態から帯環１２を上方にずらし、帯環１２に加えていた引っ張り力を適宜の位置で解除することにより、帯環１２の内径を縮小させ、それによって装飾シート１０の外周に帯環１２を密着させる。すると、装飾シート１０の開口が絞られるような状態となって装飾シート１０が植栽鉢１に固定される。
【００３７】
このとき、図４（ｂ）に示す位置Ｂにおいて帯環１２を装着すれば、図１に示すように植栽鉢１の直上部で帯環１２が縮径し、装飾シート１０の開口が植栽鉢１の外径よりも小さい寸法に絞られることとなって帯環１２が下にずれ落ちることが防止されるため、より安定した状態で装飾シート１０を植栽鉢１に固定することができる。もちろん、このようなことが必要ない場合は、図４（ｂ）に示す位置Ｃ（植栽鉢１の上端部付近）において帯環１２を装着することにより、装飾シート１０を植栽鉢１に固定するようにしてもよい。ただし、植栽鉢１の側面が図示のように下方に向かって縮径するように（テーパ状に）形成されている場合は、特に帯環１２が下方にずれ落ち易いため、このような場合は、やはり位置Ｂにおいて帯環１２を装着することが好ましい。
【００３８】
以上説明したように、本実施形態の植栽鉢の装飾構造は、植栽鉢１を包む不織布製の装飾シート１０に同じく不織布製の帯環１２を装着することによって構成したものであるため、外観上の統一感があり、優れた装飾効果を発揮することができる。また、幅方向所定位置（本実施形態では上端部）に帯ゴム２０及び締め紐２２から成る内径伸縮手段を備えた不織布製の帯環１２は、装飾シート１０への着脱が容易であるというだけでなく、装着時においては内径伸縮手段が備わる上端部の内径が絞られることにより不織布の周縁部に波状のフリル（図１における符号１２ａ）が形成されるため、より高い装飾効果を発揮することになる。さらに、装飾シート１０及び帯環１２が耐水性の不織布から構成されているため、贈答後において植栽鉢１を家庭内等で継続的に設置する場合においても、問題なく装飾シート１０及び帯環１２を装着したままにしておくことができる。すなわち、例えば装飾シート１０が通常の包装紙で構成されているような場合は、水やりを行うことで当該包装紙が濡れて破れたりする可能性が高いため、植栽鉢１を継続設置する際には当該包装紙を取り外す必要があったが、本実施形態のように装飾シート１０等が耐水性の不織布から構成されている場合は、水やりの際にそのような心配が生じないため、装飾シート１０及び帯環１２を装着したまま問題なく植栽鉢１を継続設置することができる。この結果、植栽鉢１のインテリア性をより高めることが可能となる。ただし、植栽鉢１の下から水が漏れ出すほど大量に水をやりたい場合は、装飾シート１０を装着したままでは底部に水が溜まることとなるため装飾シート１０は取り外すことが望ましいが、そのような場合でも、帯環１２の着脱が容易であることによってそれほどその作業が煩雑ではないという利点がある。なお、装飾シート１０の植栽鉢１の底面に対応する部分に水抜き穴を穿設するか、さらに、植栽鉢１の底面形状に対応した形状のプラスチック板又はプラスチック製の皿状体等からなる鉢受け部材の中央に水抜き穴を穿設したものを装飾シート１０の中央表面に接着しておけば、大量に水を注ぐ場合にもいちいち装飾シートを取り外す必要がないものとなる。
【００３９】
また、装飾シート１０及び帯環１２を構成する不織布がさらに耐光性を有することから、植栽鉢１を屋外に継続設置する場合においてもこれら装飾シート１０及び帯環１２を問題なく使用することができる。
【００４０】
また、帯環１２は、２つ折りにした不織布（素地１６）を縫着することによって構成したものであるため、不織布が２枚重ねとなって意匠性に富むだけでなく、帯ゴム２０及び締め紐２２が挿通される挿通孔２４の形成が容易であり、効率よく製造できるという利点がある。
【００４１】
なお、挿通孔２４の位置（帯ゴム２０及び締め紐２２からなる内径伸縮手段の設置位置）は、本実施形態では帯環１２の上端部に設定したが、これを例えば、帯環１２の幅方向（図２における上下方向）中央部付近に設定してもよい。その場合は、独立した２枚の素地１６を重ね合わせ、その幅方向中央部付近において周方向に沿った２本の縫着線を形成するようにすれば、挿通孔２４を帯環１２の幅方向中央部付近に形成することができる。
【００４２】
また、本実施形態では、内径伸縮手段を帯ゴム２０及び締め紐２２によって構成したが、このうち締め紐２２は省略してもよい。その場合、挿通孔２４を省略するとともに、帯ゴム２０を接着等の手段により直接素地１６に接合するようにしてもよい。
【００４３】
また、帯ゴム２０は、帯環１２を装着する際に支障が出ない程度の伸縮量を確保できるものであれば特にゴム材に限るものではなく、各種弾性体を使用可能である。
【００４４】
締め紐２２についても、結束する際に支障が出ない程度に柔軟なものであればよく、その材質は特に限定されるものではない。
【図面の簡単な説明】
【００４５】
【図１】本発明の一実施形態にかかる植栽鉢の装飾構造を示す斜視図である。
【図２】前記植栽鉢の装飾構造に用いられる帯環を示す一部切欠き斜視図である。
【図３】（ａ）（ｂ）は前記帯環の製造工程を示すための図である。
【図４】（ａ）（ｂ）は前記植栽鉢の装飾構造の装着手順を示す図である。
【符号の説明】
【００４６】
１  植栽鉢
１０  装飾シート
１２  帯環
１４  装飾部材
２０  帯ゴム（弾性体）
２２  締め紐（結束部材）
２４  挿通孔
【図１】
2007028914.tif 000003
【図２】
2007028914.tif 000004
【図３】
2007028914.tif 000005
【図４】
2007028914.tif 000006